(57)【要約】      （修正有）【課題】取り外しが容易で、且つ、分解過程でのネジの紛失が防止されるリモコンの電池蓋構造を提供する。【解決手段】上蓋１、下蓋２及び電池蓋ユニット３を含み、上蓋と下蓋は取り外し可能に接続され、上蓋には位置規制孔１１と切欠き１２が設けられており、下蓋の端部には電池スロット２１が設けられており、電池蓋ユニットは切欠き及び電池スロット部分に収容され、電池蓋ユニットは、電池蓋３１、ネジ３２及びスプリングワッシャ３３を含み、電池蓋にはネジ孔１００と弾性フック２００が設けられており、ネジをネジ孔と位置規制孔に挿通することで電池蓋が上蓋に固定され、弾性フックは切欠きの側壁に係接され、スプリングワッシャはネジの中央に係入される。電池蓋にネジ孔及び弾性フックを設けることで、電池蓋と上蓋の機械構造を係接しつつネジで固定する。電池蓋の取り外し時には、ネジが引き抜かれないようスプリングワッシャが電池蓋に当接可能である。【選択図】図１
0003218666.tif 000002
【実用新案登録請求の範囲】
【請求項１】
上蓋（１）、下蓋（２）及び電池蓋ユニット（３）を含むリモコンの電池蓋構造において、
前記上蓋（１）と下蓋（２）は取り外し可能に接続され、
前記上蓋（１）には位置規制孔（１１）と切欠き（１２）が設けられており、
前記下蓋（２）の端部には電池スロット（２１）が設けられており、前記電池蓋ユニット（３）は前記切欠き（１２）及び電池スロット（２１）部分に収容され、
前記電池蓋ユニット（３）は、電池蓋（３１）、ネジ（３２）及びスプリングワッシャ（３３）を含み、前記電池蓋（３１）にはネジ孔（１００）と弾性フック（２００）が設けられており、前記ネジ（３２）を前記ネジ孔（１００）と位置規制孔（１１）に挿通することで前記電池蓋（３１）が前記上蓋（１）に固定され、前記弾性フック（２００）は前記切欠き（１２）の側壁に係接され、前記スプリングワッシャ（３３）は前記ネジ（３２）の中央に係入されることを特徴とする構造。
【請求項２】
前記上蓋（１）の辺縁には複数の係合溝（１３）が更に設けられており、前記下蓋（２）の辺縁には複数のフック（２２）が設けられており、前記上蓋（１）と下蓋（２）が一体的に接続されるよう、前記フック（２２）が前記係合溝（１３）に係合されることを特徴とする請求項１に記載のリモコンの電池蓋構造。
【請求項３】
前記電池蓋（３１）には更に弾性片（３００）が設けられており、前記弾性片（３００）は前記弾性フック（２００）の側部に設けられることを特徴とする請求項１に記載のリモコンの電池蓋構造。
【請求項４】
前記弾性フック（２００）は左弾性フックと右弾性フックを含み、前記左弾性フックと右弾性フックは円弧状に形成されており、前記左弾性フックと右弾性フックの最基端同士の距離は前記切欠き（１２）の長さよりも大きいことを特徴とする請求項３に記載のリモコンの電池蓋構造。
【請求項５】
前記ネジ（３２）は皿ネジであることを特徴とする請求項１に記載のリモコンの電池蓋構造。
【請求項６】
前記上蓋（１）、下蓋（２）及び電池蓋（３１）の材質はプラスチックであることを特徴とする請求項１に記載のリモコンの電池蓋構造。
【考案の詳細な説明】
【技術分野】
【０００１】
本考案は電池蓋の技術分野に関し、より具体的には、リモコンの電池蓋構造に関する。
【背景技術】
【０００２】
従来のリモコンの電池蓋は、機械構造を用いてリモコンに係接されるものが多く、ネジで接続されるものもある。しかし、ネジによる接続構造の場合には、電池蓋の取り外し時に着脱が面倒であるほか、ネジを紛失しやすく、使用にあたって不便である。
【考案の概要】
【考案が解決しようとする課題】
【０００３】
本考案で解決しようとする技術的課題は、取り外しが容易であり、且つ、ネジが電池蓋と分離しないため分解過程におけるネジの紛失が防止されるリモコンの電池蓋構造を提供することである。
【課題を解決するための手段】
【０００４】
本考案の技術解決方案は以下である。
【０００５】
本考案は、上蓋、下蓋及び電池蓋ユニットを含み、前記上蓋と下蓋は取り外し可能に接続され、前記上蓋には位置規制孔と切欠きが設けられており、前記下蓋の端部には電池スロットが設けられており、前記電池蓋ユニットは前記切欠き及び電池スロット部分に収容され、前記電池蓋ユニットは、電池蓋、ネジ及びスプリングワッシャを含み、前記電池蓋にはネジ孔と弾性フックが設けられており、前記ネジを前記ネジ孔と位置規制孔に挿通することで前記電池蓋が前記上蓋に固定され、前記弾性フックは前記切欠きの側壁に係接され、前記スプリングワッシャは前記ネジの中央に係入されるリモコンの電池蓋構造を提供する。
【０００６】
更に、前記上蓋の辺縁には複数の係合溝が更に設けられており、前記下蓋の辺縁には複数のフックが設けられており、前記上蓋と下蓋が一体的に接続されるよう、前記フックが前記係合溝に係合される。
【０００７】
更に、前記電池蓋には更に弾性片が設けられており、前記弾性片は前記弾性フックの側部に設けられる。
【０００８】
更に、前記弾性フックは左弾性フックと右弾性フックを含み、前記左弾性フックと右弾性フックは円弧状に形成されており、前記左弾性フックと右弾性フックの最基端同士の距離は前記切欠きの長さよりも大きい。
【０００９】
更に、前記ネジは皿ネジである。
【００１０】
更に、前記上蓋、下蓋及び電池蓋の材質はプラスチックである。
【考案の効果】
【００１１】
本考案におけるリモコンの電池蓋構造を実施すれば、以下の有益な効果が得られる。即ち、電池蓋にネジ孔及び弾性フックを設けることで、電池蓋と上蓋の機械構造を係接しつつネジで固定する。電池蓋の取り外し時には、ネジが引き抜かれないようスプリングワッシャが電池蓋に当接可能なため、ネジが電池蓋から分離することがなく、分解過程でのネジの紛失が防止される。且つ、構造全体の着脱が容易であり、操作しやすい。
【００１２】
以下に、図面と実施例を組み合わせて本考案につき更に説明する。
【図面の簡単な説明】
【００１３】
【図１】図１は、本考案におけるリモコンの電池蓋構造の分解状態を示す図である。
【図２】図２は、電池蓋ユニットの構造を示す図である。
【図３】図３は、上蓋と下蓋の組立状態を示す図である。
【図４】図４は、電池蓋ユニットと上蓋及び下蓋との装着を示す図である。
【図５】図５は、本考案におけるリモコンの電池蓋構造の組付状態を示す図である。
【考案を実施するための形態】
【００１４】
図１〜図５は、本考案におけるリモコンの電池蓋構造の好ましい実施例を示す。当該構造は、上蓋１、下蓋２及び電池蓋ユニット３を含み、上蓋１と下蓋２が取り外し可能に接続される。上蓋１には位置規制孔１１と切欠き１２が設けられている。また、下蓋２の端部には電池スロット２１が設けられており、電池蓋ユニット３が切欠き１２及び電池スロット２１部分に収容される。電池蓋ユニット３は、電池蓋３１、ネジ３２及びスプリングワッシャ３３を含む。電池蓋３１にはネジ孔１００と弾性フック２００が設けられており、ネジ３２をネジ孔１００と位置規制孔１１に挿通することで電池蓋３１を上蓋１に固定する。また、弾性フック２００は切欠き１２の側壁に係接される。スプリングワッシャ３３はネジ３２の中央に係入される。上蓋１と下蓋２はリモコンの本体ケーシングを形成し、機械機構により係合される。上蓋１の位置規制孔１１は電池蓋３１のネジ孔１００の位置に対応しており、ネジ３２がネジ孔１００に挿通されて下端が位置規制孔１１内に係接されることで、電池蓋３１が上蓋１に固定される。電池蓋３１の上端には、上蓋１の切欠き１２に当接するとともに、下端が下蓋２の電池スロット２１内に収容される突出した弾性フック２００が備わっている。好ましくは、本実施例のネジ３２は皿ネジであり、中央に係接ロッドが備わっている。スプリングワッシャ３３はネジ３２における基部寄りの係接ロッド部分に係入されており、取り外し時にはスプリングワッシャ３３が電池蓋３１に当接することで、ネジ３２がそれ以上引き抜かれないよう規制する。このとき、弾性フック２００は切欠き１２から引き出されることで完全に取り外されるが、ネジ３２は電池蓋３１から分離しないため、分解過程におけるネジ３２の紛失が防止される。
【００１５】
本実施例において、上蓋１の辺縁には複数の係合溝１３が更に設けられている。また、下蓋２の辺縁には複数のフック２２が設けられており、フック２２が係合溝１３に係合されることで、上蓋１と下蓋２が一体的に接続される。装着時には、リモコンの下蓋２のフック２２をリモコンの上蓋１における係合溝１３に合わせて押圧すると、係合溝１３に塑性変形が生じる。これにより、フック２２を係合溝１３に挿入することで、リモコンのケーシングが構成される。
【００１６】
更に、本実施例の電池蓋３１には弾性片３００が設けられている。弾性片３００は弾性フック２００の側部に設けられる。弾性片３００は横向きに配置されており、弾性片３００を押圧すると弾性フック２００が圧力を受けて塑性変形し、切欠き１２から離脱する。これにより、上蓋１から引き出し可能となる結果、電池蓋３１の取り外しが完了する。
【００１７】
本実施例における弾性フック２００は左弾性フックと右弾性フックを含む。左弾性フックと右弾性フックは円弧状に形成されている。左弾性フックと右弾性フックの最基端同士の距離は切欠き１２の長さよりも大きいため、左弾性フックと右弾性フックは押圧による塑性変形を生じて上蓋１の切欠き１２に係接可能となる。
【００１８】
本実施例において、上蓋１、下蓋２及び電池蓋３１の材質はいずれもプラスチックである。プラスチック材質は塑性変形による互いの係接を可能とするだけでなく、軽量なことから携帯及び使用に便利である。
【００１９】
本考案におけるリモコンの電池蓋構造は、装着時に以下のステップに従う。
【００２０】
１）ドライバを用いて特殊な皿ネジを電池蓋にねじ込み、特殊な皿ネジの基部が電池蓋の下端に到達するとねじ込みを停止する。
２）スプリングワッシャの開口を特殊な皿ネジにおける基部寄りの係接ロッド部分に合わせて係入し、電池蓋ユニットを構成する。
３）リモコンの下蓋のフックをリモコンの上蓋の係合溝に合わせて押圧し、係合溝に塑性変形を生じさせることで、フックを係合溝に挿入してケーシングを構成する。
４）電池蓋ユニットの弾性フックをリモコンの上蓋の切欠きに合わせ、電池スロットに沿って挿入する。挿入中、電池蓋の弾性フックはケーシングにおける切欠きの側壁と干渉することで塑性変形を生じる。「カチャッ」という音が聞こえると、電池蓋の弾性フックがリモコンの上蓋のリブに係接され、この時点で電池蓋ユニットが完全にケーシングへと挿入される。
５）ドライバを用いて特殊な皿ネジを電池蓋内に完全にねじ込む。ねじ込みに伴って、ネジの基部はリモコンの上蓋の位置規制孔に挿入される。特殊な皿ネジが完全にねじ込まれると、ネジ頭とリモコンの下蓋の端面とが面一となる。
【００２１】
また、取り外し時には以下のステップに従う。
【００２２】
１）リモコンの下蓋を上方に向けた状態で、ドライバを用いて特殊な皿ネジを引き抜く。すると、ネジの引き抜きに伴って、ネジの係接ロッドに係入されているスプリングワッシャが電池蓋に接触し、それ以上のネジの引き抜きを規制する。このとき、ネジの引き抜きを停止する。
２）一方の手でリモコンを把持し、もう一方の手で電池蓋の弾性片を右方向へ押圧することで、弾性片に塑性変形を生じさせ、弾性フックをリモコンの上蓋との係合から退避させる。このとき、電池蓋ユニットの退避方向に沿って、電池蓋ユニットが完全にケーシングから分離するまで、電池蓋の引出溝を外側に引き出す。
【００２３】
本考案におけるリモコンの電池蓋構造では、電池蓋にネジ孔及び弾性フックを設けることで、電池蓋と上蓋の機械構造を係接しつつネジで固定する。電池蓋の取り外し時には、ネジが引き抜かれないようスプリングワッシャが電池蓋に当接可能なため、ネジが電池蓋から分離することがなく、分解過程でのネジの紛失が防止される。且つ、構造全体の着脱が容易であり、操作しやすい。
【００２４】
以上は本考案の好ましい実施例にすぎず、当業者であれば、本考案の思想に基づき、具体的実施形態及び応用の範囲において様々な変形を実施可能である。また、これらの変形は本考案の思想を逸脱しない限り、いずれも本考案の保護の範囲に属する。
【図１】
0003218666.tif 000003
【図２】
0003218666.tif 000004
【図３】
0003218666.tif 000005
【図４】
0003218666.tif 000006
【図５】
0003218666.tif 000007